【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
加硫ゴム、
シリカ、水酸化アルミニウム、又はシリカと水酸化アルミニウムの両方から選ばれる無機充填剤、及び
変性ゴムであって、ｉ）カルボン酸もしくは無水物基を含有するぶら下がったもしくは末端官能性基又はｉｉ）重合された不飽和カルボン酸の金属塩を含有する変性ゴム、
を含んでなるタイヤトレッドを含むタイヤ。
【請求項２】
ゴム、
シリカ、水酸化アルミニウム、又はシリカと水酸化アルミニウムの両方から選ばれる無機充填剤、及び
変性ゴムであって、ｉ）カルボン酸もしくは無水物基を含有するぶら下がったもしくは末端官能性基又はｉｉ）重合された不飽和カルボン酸の金属塩を含有する変性ゴム、及び
変性ポリオレフィン成分、
を含んでなる成分を配合することにより製造されたゴム組成物を加硫する段階を含んでなる方法により製造されたタイヤ。
【請求項３】
加硫ゴム、
充填剤、及び
ぶら下がったもしくは末端官能性基を含有する変成ゴム、
を含んでなるタイヤトレッドを含むタイヤ。
【請求項４】
加硫ゴム、
シリカ、水酸化アルミニウム、又はシリカと水酸化アルミニウムの両方から選ばれる無機充填剤、及び
変性ゴムであって、ｉ）カルボン酸もしくは無水物基を含有するぶら下がったもしくは末端官能性基又はｉｉ）重合された不飽和カルボン酸の金属塩を含有する変性ゴム、
を含んでなるゴム組成物。
【請求項５】
加硫ゴム、
充填剤、及び
ぶら下がったもしくは末端官能性基を含有する変成ゴム、
を含んでなるゴム組成物。
【請求項６】
カルボン酸もしくは無水物基を含有するぶら下がったもしくは末端官能性基を含有する変性ポリオレフィンを更に含んでなる請求項１〜３のいずれか１項に記載のタイヤ又は請求項４〜５のいずれか１項に記載のゴム組成物。
【請求項７】
無機充填剤が本質的にシリカからなる請求項１〜３のいずれか１項に記載のタイヤ又は請求項４〜５のいずれか１項に記載のゴム組成物。
【請求項８】
ゴム組成物が更にカップリング剤、分散剤又はその両方を含んでなる請求項７に記載のタイヤ又はゴム組成物。
【請求項９】
重合された不飽和カルボン酸の金属塩が３〜８個の炭素原子を有するα、β−エチレン系不飽和カルボン酸塩に由来する請求項１〜３のいずれか１項に記載のタイヤ又は請求項４〜５のいずれか１項に記載のゴム組成物。
【請求項１０】
変性ゴムが変性ポリマー１グラム当たり約０．０２〜約２８ミリ当量の官能性基を含有する請求項１〜３のいずれか１項に記載のタイヤ又は請求項４〜５のいずれか１項に記載のゴム組成物。
【請求項１１】
ゴム組成物が、ゴム１００重量部当たり（ｐｈｒ）約１〜約１００重量部の無機充填剤、ゴム１００重量部当たり（ｐｈｒ）約０．１〜約２５重量部の変性ゴム、及びゴム１００重量部当たり（ｐｈｒ）約０．１〜約２５重量部の変性ポリオレフィンを含んでなる請求項１〜３のいずれか１項に記載のタイヤ又は請求項４〜５のいずれか１項に記載のゴム組成物。
【請求項１２】
タイヤが粒状ナイロンを欠いている請求項１〜３のいずれか１項に記載のタイヤ又は請求項４〜５のいずれか１項に記載のゴム組成物。
【請求項１３】
ゴム組成物が更にカーボンブラックを含んでなる請求項１〜３のいずれか１項に記載のタイヤ又は請求項４〜５のいずれか１項に記載のゴム組成物。
【手続補正２】
【補正対象書類名】明細書
【補正対象項目名】００９６
【補正方法】変更
【補正の内容】
【００９６】
本発明の範囲及び精神から逸脱しない種々の修正及び変更は当業者には明らかであろう。本発明は本明細書に記載の例示的態様に限定されるものではない。
本発明の好適な実施態様は次のとおりである。
１．加硫ゴム、
無機充填剤及び
変性ゴムであって、ｉ）カルボン酸もしくは無水物基を含有するぶら下がったもしくは末端官能性基、又はｉｉ）重合された不飽和カルボン酸の金属塩を含有する変性ゴム、
を含んでなるタイヤトレッドを含むタイヤ部品。
２．加硫ゴム、
無機充填剤、
カルボン酸もしくは無水物基を含有するぶら下がったもしくは末端官能性基を含有する変性ポリオレフィン、及び
カルボン酸もしくは無水物基を含有するぶら下がったもしくは末端官能性基を含有する変性ゴム、
を含んでなるタイヤトレッドを含むタイヤ部品。
３．タイヤ部品が酸化亜鉛を欠いている上記２に記載のタイヤ部品。
４．加硫ゴム、
無機充填剤、
重合され不飽和カルボン酸の金属塩を含有する変性ゴム
を含んでなるタイヤトレッドを含むタイヤ部品であって、酸化亜鉛を欠いているタイヤ部品。
５．加硫ゴム、
ゴム１００重量部当たり約１０〜約１００重量部の無機充填剤、及び
ゴム１００重量部当たり約０．２〜約１０重量部の変性ゴム、
を含んでなるタイヤトレッドであって、
該変性ゴムがｉ）カルボン酸もしくは無水物基を含有するぶら下がったもしくは末端官能性基又はｉｉ）重合された不飽和カルボン酸の金属塩を含有する、
タイヤトレッド。
６．ゴム、
無機充填剤、
ｉ）カルボン酸もしくは無水物基を含有するぶら下がったもしくは末端官能性基又はｉｉ）重合された不飽和カルボン酸の金属塩を含有する変性ゴム、及び
場合により、カルボン酸もしくは無水物基を含有するぶら下がったもしくは末端官能性基を含有する変性ポリオレフィン、
を含んでなる成分を配合することにより製造されたゴム組成物を加硫する段階を含んでなる方法により製造されたタイヤ。
７．変性ゴムが加硫されている上記１〜５のいずれか１項に記載のタイヤ部品もしくはトレッド又は上記６に記載のタイヤ。
８．ゴム組成物がカーボンブラックを更に含んでなる上記１〜５のいずれか１項に記載のタイヤ部品もしくはトレッド又は上記６に記載のタイヤ。
９．無機充填剤がシリカ、水酸化アルミニウム又はその両方を含んでなる上記１〜５のいずれか１項に記載のタイヤ部品もしくはトレッド又は上記６に記載のタイヤ。
１０．重合した不飽和カルボン酸の金属塩が３〜８個の炭素原子を有するα，β−エチレン系不飽和カルボン酸塩に由来する上記１又は４に記載のタイヤ部品。
１１．不飽和カルボン酸塩がナトリウム、カリウム、マグネシウム、カルシウム、亜鉛、バリウム、アルミニウム、錫、ジルコニウム、リチウム又はカルボニウムを含有する上記１０に記載のタイヤ部品。
１２．変性ゴムが、シトラコン酸、ケイ皮酸、メタクリル酸、イタコン酸又はそれらの混合物及び無水マレイン酸、無水シトラコン酸、無水イタコン酸又はそれらの混合物由来の官能性基を含む上記１〜３又は５のいずれか１項に記載のタイヤ部品もしくはトレッド又は上記６に記載のタイヤ。
１３．ゴム組成物が更にカップリング剤、分散剤又はその両方を含んでなる上記１〜５のいずれか１項に記載のタイヤ部品もしくはトレッド又は上記６に記載のタイヤ。
１４．変性ゴムが、不飽和炭化水素ゴム主鎖にぶら下がっているようにグラフト化された重合された不飽和カルボン酸の金属塩を有する不飽和炭化水素ゴム主鎖を含んでなる巨大分子である上記１及び４〜５のいずれか１項に記載のタイヤ部品もしくはトレッド又は上記６に記載のタイヤ。
１５．不飽和ゴム主鎖が、共役ジエンのホモポリマー、共役ジエンとビニル芳香族モノマーのコポリマー又はエチレンとプロピレンとジエンのターポリマーである上記１４に記載のタイヤ部品又はトレッド又はタイヤ。
１６．変性ゴムが、変性ポリマー１グラム当たり約０．０２〜約２８ミリ当量の官能性基を含有する上記１２に記載のタイヤ部品又はトレッド又はタイヤ。
１７．ゴム組成物が、ゴム１００重量部当たり（ｐｈｒ）約１〜約１００重量部の無機充填剤、ゴム１００重量部当たり（ｐｈｒ）約０．１〜約２５重量部の変性ゴム及びゴム１００重量部当たり（ｐｈｒ）約０．１〜約２５重量部の変性ポリオレフィンを含んでなる上記６に記載のタイヤ。
１８．タイヤが粒状ナイロンを欠いている上記１〜５のいずれか１項に記載のタイヤ部品もしくはトレッド又は上記６に記載のタイヤ。
１９．ポリ（金属カルボキシレート）グラフトゴムが、ｉ）不飽和炭化水素ゴムを溶媒中に溶解し、ｉｉ）溶解したゴムに不飽和カルボン酸の金属塩を加えてゴム／カルボン酸ブレンドを形成させ、ｉｉｉ）ゴム／カルボン酸ブレンドに遊離基開始剤を加え、そしてｉｖ）反応混合物を約４０〜約１５０℃の温度に約０．１〜約１００時間加熱することにより製造される上記１〜４のいずれか１項に記載のタイヤ部品もしくはトレッド又は上記６に記載のタイヤ。
２０．加硫可能なゴム、
充填剤、及び
カルボン酸もしくは無水物基を含有するぶら下がったもしくは末端官能性基を含有する変性ゴム、
を含んでなるゴム組成物。
２１．ゴム組成物が更にカルボン酸もしくは無水物基を含有するぶら下がったもしくは末端官能性基を含有する変性ポリオレフィンを含んでなる上記２０に記載のゴム組成物。
２２．充填剤がカーボンブラックである上記２０又は２１に記載のゴム組成物。
２３．充填剤がカーボンブラックとシリカの混合物である上記２０又は２１に記載のゴム組成物。